(57)【要約】【課題】  既に受信されているデータと同一のデータ（重複データ）をＵＥが受信することを防止することができるシステムや、このシステムに用いられる各装置などを提供すること。【解決手段】  端末装置は、データ（例えばＭＢＭＳサービスのデータ）が更新されて送信されるタイミングを示す更新タイミング情報を受信し、この更新タイミング情報に基づいて、更新されたデータが送信されるまでの間は受信処理を中止し、更新されたデータが送信されるタイミングにあわせて受信処理を再開する。【選択図】  図６
2006086890.tif 000002
【特許請求の範囲】
【請求項１】
データを不特定又は特定の端末装置に対して同報送信するデータ送信手段と、前記データ送信手段によって新たに更新されたデータが送信されるタイミングを示す情報である更新タイミング情報を不特定又は特定の端末装置に対して同報送信する更新タイミング情報送信手段とを含むデータ送信装置と、
前記データ送信装置から前記データを受信するデータ受信手段と、前記データ送信装置から前記更新タイミング情報を受信する更新タイミング情報受信手段と、前記更新タイミング情報に基づいて次にデータを受信すべきタイミングを判断する判断手段と、前記判断手段による判断結果に従って前記データ受信手段にデータを受信することを停止及び／又は開始することを指示する受信指示手段とを含む端末装置と
を含むネットワークシステム。
【請求項２】
データを不特定又は特定の端末装置に対して同報送信するデータ送信手段と、前記データ送信手段により送信された前記データを前記端末装置が受信するために必要となる制御信号を不特定又は特定の端末装置に対して同報送信する制御信号送信手段と、前記制御信号又は前記データに、前記データ送信手段によって新たに更新されたデータが送信されるタイミングを示す情報である更新タイミング情報を付加する付加手段とを含むデータ送信装置と、
前記データ送信装置から前記データを受信するデータ受信手段と、前記データ送信装置から前記制御信号を受信する制御信号受信手段と、受信された前記制御信号に含まれる前記更新タイミング情報に基づいて次に受信を行うべきタイミングを判断する判断手段と、前記判断手段による判断結果に従って前記制御信号受信手段及び前記データ受信手段に受信することを停止及び／又は開始することを指示する受信指示手段とを含む端末装置と
を含むネットワークシステム。
【請求項３】
前記受信指示手段は、前記受信を行うべきタイミングまでは前記データ受信手段及び前記制御信号受信手段に対し受信を停止することを指示し、前記受信を行うべきタイミングにおいて前記データ受信手段及び前記制御信号受信手段に対し受信の開始を指示し、
前記データ受信手段は、前記制御信号受信手段により受信された前記制御信号に基づいて前記データの受信を行う
請求項２に記載のネットワークシステム。
【請求項４】
データを不特定又は特定の端末装置に対して同報送信するデータ送信手段と、
前記データ送信手段によって新たに更新されたデータが送信されるタイミングを示す情報である更新タイミング情報を不特定又は特定の端末装置に対して同報送信する更新タイミング情報送信手段と
を含むデータ送信装置。
【請求項５】
データ送信装置からデータを受信するデータ受信手段と、
新たに更新されたデータが前記データ送信装置から送信されるタイミングを示す情報である更新タイミング情報を受信する更新タイミング情報受信手段と、
前記更新タイミング情報に基づいて次にデータを受信すべきタイミングを判断する判断手段と、
前記判断手段による判断結果に従って前記データ受信手段にデータを受信することを停止及び／又は開始することを指示する受信指示手段と
を含む端末装置。
【請求項６】
データを不特定又は特定の端末装置に対して同報送信するデータ送信手段と、
前記データ送信手段により送信された前記データを前記端末装置が受信するために必要
となる制御信号を不特定又は特定の端末装置に対して同報送信する制御信号送信手段と、
前記制御信号又は前記データに、前記データ送信手段によって新たに更新されたデータが送信されるタイミングを示す情報である更新タイミング情報を付加する付加手段と
を含むデータ送信装置。
【請求項７】
データ送信装置からデータを受信するデータ受信手段と、
前記データ送信装置により送信された前記データを前記データ受信手段が受信するために必要となる制御信号を受信する制御信号受信手段と、
受信された前記制御信号に含まれる、前記データ送信装置によって新たに更新されたデータが送信されるタイミングを示す情報である更新タイミング情報に基づいて次に受信を行うべきタイミングを判断する判断手段と、
前記判断手段による判断結果に従って前記制御信号受信手段及び前記データ受信手段に受信することを停止及び／又は開始することを指示する受信指示手段と
を含む端末装置。
【請求項８】
情報処理装置が、データを不特定又は特定の他の情報処理装置に対して同報送信するステップと、
前記情報処理装置が、新たに更新されたデータが送信されるタイミングを示す情報である更新タイミング情報を不特定又は特定の前記他の情報処理装置に対して同報送信するステップと、
前記他の情報処理装置が、前記情報処理装置から前記データを受信するステップと、
前記他の情報処理装置が、前記情報処理装置から前記更新タイミング情報を受信するステップと、
前記他の情報処理装置が、前記更新タイミング情報に基づいて次にデータを受信すべきタイミングを判断するステップと、
前記他の情報処理装置が、判断結果に従ってデータを受信することを停止及び／又は開始するステップと
を含む同報通信方法。
【請求項９】
情報処理装置が、データを不特定又は特定の他の情報処理装置に対して同報送信するステップと、
前記情報処理装置が、送信された前記データを前記他の情報処理装置が受信するために必要となる制御信号を不特定又は特定の前記他の情報処理装置に対して同報送信するステップと、
前記情報処理装置が、前記制御信号又は前記データに、新たに更新されたデータが送信されるタイミングを示す情報である更新タイミング情報を付加するステップと、
前記他の情報処理装置が、前記情報処理装置から前記データを受信するステップと、
前記他の情報処理装置が、前記情報処理装置から前記制御信号を受信するステップと、
前記他の情報処理装置が、受信された前記制御信号に含まれる前記更新タイミング情報に基づいて次に受信を行うべきタイミングを判断するステップと、
前記他の情報処理装置が、判断結果に従って前記データ及び前記制御信号を受信することを停止及び／又は開始するステップと
を含む同報通信方法。
【発明の詳細な説明】
【技術分野】
【０００１】
本発明は、一つのサービス提供者から複数のユーザ端末へサービスを提供するための通信における同報通信のシステム、装置、方法、プログラムなどに適用されて有効な技術に関する。
【背景技術】
【０００２】
移動通信における同報通信では、更新されていない同じデータが、複数回送信される。このため、ＵＥ（User Equipment：ユーザ端末）は、同じデータを複数回受信する。言い換えれば、ＵＥは同じデータを重複受信する。しかし、ＵＥは、受信されたデータが、過去に既に受信されたデータ（即ち不要なデータ：重複データ）であるか、更新された新たなデータ（即ち必要なデータ：更新データ）であるかを判断することができなかった。
【０００３】
このような問題を解決する技術に以下のようなものがある。例えば、ＵＭＴＳ（Universal Mobile Telecommunications System）では以下のようにこの問題を解決している。ＵＭＴＳは、第三世代移動通信システムの一つである。ＵＭＴＳでは、セル内のＵＥに対し繰り返し送信される報知情報は、この報知情報の内容が更新されたか否かを示すフラグ（Value tag）を含む。ＵＥは、このフラグの値に基づいて、受信した報知情報が過去に既
に受信された報知情報であるか否か（即ち重複データであるか否か）を判断できる（非特許文献１参照）。
【０００４】
また、第二世代移動通信システムの一つであるＧＳＭ（Global System for Mobile Communications）やＵＭＴＳでは、ＣＢＳ（Cell Broadcast Service）が採用されている。
ＣＢＳでは、セル内のＵＥに対し繰り返し送信されるサービスデータは、データの番号（serial number）を含む。ＵＥは、この番号に基づいて、受信したデータが過去に既に受
信されたデータであるか否か（即ち重複データであるか否か）を判断できる（非特許文献２参照）。
【０００５】
また、デジタルオーディオ放送などの放送を受信する受信機で、過去に受信した番組識別子または番組種別の番組を、簡単かつ迅速に選択できるようにすることを目的とした装置もある。この装置は、受信した番組のコンポーネントＩＤがメモリに記録されていない場合には、この番組のコンポーネント名およびコンポーネントＩＤを度数としてメモリに記録する。一方、この装置は、受信した番組のコンポーネントＩＤがメモリに記録されている場合、かつ受信した番組のコンポーネント名がメモリに記録されているものと同じ場合には、受信した番組と同じコンポーネント名およびコンポーネントＩＤの度数に１を加算する。また、この装置は、受信した番組のコンポーネントＩＤがメモリに記録されている場合、かつ受信した番組のコンポーネント名がメモリに記録されているものと異なる場合には、メモリに記録されているコンポーネント名を受信した番組のコンポーネント名に書き替え、その度数に１を加算する。そして、この装置は、番組選択時には、度数が高いものから順にコンポーネント名を表示する（特許文献１参照）。
【特許文献１】特開２００２−２６１６３７号公報
【非特許文献１】3GPP TS25.331 Radio Resource Control(RRC) protocol specification v.3.18.0(2004-03)
【非特許文献２】3GPP TS23.041 Technical realization of cell broadcast service(CBS) v.3.5.0(2002-06)
【発明の開示】
【発明が解決しようとする課題】
【０００６】
しかし、上記のいずれの技術においても、ＵＥは重複データを受信せざるを得なかった。言い換えれば、ＵＥは、重複データを受信した後でなければ、そのデータが重複データであるか否か判断することができなかった。このため、重複データの受信を回避することができなかった。
【０００７】
ところで、無線伝送技術の発達により、今後は、移動通信におけるマルチメディアのブロードキャスト及びマルチキャストサービス（ＭＢＭＳ：Multimedia Broadcast Multicast Service）の普及が予想される。ＭＢＭＳでは、同じ内容のコンテンツデータが繰り返し送信される状況が多く発生する。しかし、既にコンテンツのデータを受信済みのＵＥにとって、重複データを複数回受信することは、受信に要する消費電力などにおいて無駄を生じるため好ましい事ではない。特に、複数のＭＢＭＳを受信するＵＥにとっては、さらにこの問題は深刻化する。
【０００８】
そこで、本発明は、既に受信されているデータと同一のデータ（重複データ）をＵＥが受信することを防止することができるシステムや、このシステムに用いられる各装置などを提供することを目的とする。
【課題を解決するための手段】
【０００９】
上記問題を解決するため、本発明は以下のような構成をとる。本発明の第一の態様は、ネットワークシステムであり、データ送信装置及び端末装置を含む。データ送信装置は、データ送信手段及び更新タイミング情報送信手段を含む。データ送信手段は、データを不特定又は特定の端末装置に対して同報送信する。更新タイミング情報送信手段は、更新タイミング情報を不特定又は特定の端末装置に対して同報送信する。更新タイミング情報とは、データ送信手段によって新たに更新されたデータが送信されるタイミングを示す情報である。更新タイミング情報は、例えば、端末装置が定期的に受信処理を行う構成である場合には、この受信処理の周期の数を示す値であっても良い。また、更新タイミング情報は、絶対的な時刻を示す値であっても良い。
【００１０】
端末装置は、データ受信手段，更新タイミング情報受信手段，判断手段，及び受信指示手段を含む。データ受信手段は、データ送信装置からデータを受信する。更新タイミング情報受信手段は、データ送信装置から更新タイミング情報を受信する。判断手段は、更新タイミング情報に基づいて次にデータを受信すべきタイミングを判断する。受信指示手段は、判断手段による判断結果に従って、データ受信手段にデータを受信することを停止及び／又は開始することを指示する。例えば、受信指示手段は、判断手段により判断されたタイミングまでの間はデータの受信を停止することを指示し、このタイミングの時点でデータの受信を開始することを指示するように構成されても良い。
【００１１】
このように構成された本発明の第一の態様によれば、端末装置は、受信しているデータが次に更新されて送信されるタイミングを判断し、そのタイミングにあわせてデータの受信を行うことができる。このため、端末装置は、データ送信手段から更新されていない同一のデータを重複して受信することを防止することが可能となる。従って、受信処理に要する時間や端末装置におけるリソースや消費電力を節約することが可能となる。また、ユーザは重複して受信されたデータを確認などする必要が無くなり、利便性が向上する。
【００１２】
本発明の第二の態様は、ネットワークシステムであり、データ送信装置及び端末装置を含む。データ送信装置は、データ送信手段，制御信号送信手段及び付加手段を含む。データ送信手段は、データを不特定又は特定の端末装置に対して同報送信する。制御信号送信手段は、制御信号を不特定又は特定の端末装置に対して同報送信する。制御信号とは、データ送信手段により送信されたデータを端末装置が受信するために必要となる信号である。付加手段は、制御信号又はデータに更新タイミング情報を付加する。更新タイミング情
報とは、データ送信手段によって新たに更新されたデータが送信されるタイミングを示す情報である。
【００１３】
端末装置は、データ受信手段，制御信号受信手段，判断手段及び受信指示手段を含む。データ受信手段は、データ送信装置からデータを受信する。制御信号受信手段は、データ送信装置から制御信号を受信する。判断手段は、受信された制御信号に含まれる更新タイミング情報に基づいて、次に受信を行うべきタイミングを判断する。受信指示手段は、判断手段による判断結果に従って、制御信号受信手段及びデータ受信手段に対し、受信することを停止及び／又は開始することを指示する。本発明の第二の態様によれば、本発明の第一の態様と同様の作用や効果を得ることができる。
【００１４】
また、本発明の第二の態様における受信指示手段は、受信を行うべきタイミングまではデータ受信手段及び制御信号受信手段に対し受信を停止することを指示し、受信を行うべきタイミングにおいてデータ受信手段及び制御信号受信手段に対し受信の開始を指示するように構成されても良い。この場合、データ受信手段は、制御信号受信手段により受信された制御信号に基づいてデータの受信を行うように構成される。
【００１５】
第一の態様及び第二の態様は、プログラムが情報処理装置によって実行されることによって実現されても良い。即ち、本発明は、上記した第一の態様及び第二の態様における各手段が実行する処理を、情報処理装置に対して実行させるためのプログラム、或いは当該プログラムを記録した記録媒体として特定することができる。また、本発明は、上記した各手段が実行する処理を情報処理装置が実行する方法をもって特定されても良い。
【発明の効果】
【００１６】
本発明によれば、端末装置は、データ送信装置から更新されていない同一のデータを重複して受信することを防止することが可能となる。
【発明を実施するための最良の形態】
【００１７】
まず、本発明によるネットワークシステムの具体的な実施形態であるネットワークシステム１について説明する。ネットワークシステム１は、ＵＭＴＳに基づいて設計されるネットワークである。ただし、ネットワークシステム１は本発明のネットワークシステムの例である。従って、本発明のネットワークシステムは他の移動通信システムに基づいて設計されても良い。
【００１８】
図１は、本発明によるネットワークシステム１の構成例を示す図である。ネットワークシステム１は、コンテンツプロバイダサーバ２，ＢＭ−ＳＣ（Broadcast Multicast Service Centre）３，ＧＧＳＮ（Gateway GPRS（General Packet Radio Service） Support Node：パケット・ゲートウェイ・ノード）４，ＳＧＳＮ（Serving GPRS Support Node：パケット・アクセス制御ノード）５，ＲＮＣ（Radio Network Controller：無線ネットワーク制御装置）６，基地局７，及びＵＥ８を含む。コンテンツプロバイダサーバ２から提供されるＭＢＭＳサービスのデータが、ＢＭ−ＳＣ３，ＧＧＳＮ４，ＳＧＳＮ５，ＲＮＣ６，基地局７を経由してＵＥ８に提供される。
【００１９】
コンテンツプロバイダサーバ２は、パーソナルコンピュータやワークステーション等の情報処理装置（汎用、専用を問わない）を用いて構成される。コンテンツプロバイダサーバ２は、自身が備える記憶装置に、ＵＥ８を介してユーザに提供されるＭＢＭＳサービスのデータを持つ。また、コンテンツプロバイダサーバ２は、各ＭＢＭＳサービスの送信スケジュールや提供されるサービスエリア等を示すデータを持つ。
【００２０】
ＢＭ−ＳＣ３は、ＭＢＭＳサービスの同報通信を制御する。具体的には、ＢＭ−ＳＣ３
は、各ＭＢＭＳサービスの送信スケジュールや送信エリアなどを示す情報をコンテンツプロバイダサーバ２から受け取る。また、ＢＭ−ＳＣ３は、同報通信されるＭＢＭＳサービスのデータをコンテンツプロバイダサーバ２から受け取る。そして、ＢＭ−ＳＣ３は、各ＭＢＭＳサービスのデータを、送信スケジュールや送信エリアを示すデータに基づいて、同報通信する。このとき、同報通信は、マルチキャストとして実行されても良いし、ブロードキャストとして実行されても良い。
【００２１】
ＧＧＳＮ４，ＳＧＳＮ５は、送信データのルーティングを行う装置である。ＧＧＳＮ４やＳＧＳＮ５の機能は、既存技術であるＧＰＲＳのアーキテクチャに従うものであるため、詳細な説明は省く。
【００２２】
ＲＮＣ６は、レイヤ２，３の無線プロトコル機能を有する。また、ＲＮＣ６は、基地局７を制御して無線チャネルの割り当てなどに必要な管理を行う。図２は、ＲＮＣ６の機能ブロック例を示す図である。ＲＮＣ６は、ＭＢＭＳ制御部６１，制御信号処理部６２，及びデータ処理部６３を含む。
【００２３】
ＭＢＭＳ制御部６１は、ＳＧＳＮ５側から入力された制御信号やデータのうちＭＢＭＳに関係する制御信号やデータについての取り扱いを、制御信号処理部６２やデータ処理部６３に指示する。制御信号処理部６２やデータ処理部６３は、ＳＧＳＮ５側から入力された制御信号やデータを、ＵＥ８へ送信される形に変換し基地局７へ渡す。また、制御信号処理部６２やデータ処理部６３は、ＭＢＭＳ制御部６１から指示がある場合には、その指示に従って制御信号やデータを変換し、又は新たに作成し、基地局７へ渡す。
【００２４】
図３は、ＲＮＣ６の動作例を示すフローチャートである。次に、図３を用いてＲＮＣ６の処理例について説明する。ＢＭ−ＳＣ３から送信された送信開始指示（Session Start Signal）をＲＮＣ６が受信した場合（Ｓ６１）、ＭＢＭＳ制御部６１は、データ処理部６３に対し、送信開始指示に該当するＭＢＭＳサービスのデータ送信のためのリソースを確保することを指示する。データ処理部６３は、この指示に従い、ＭＢＭＳサービスのデータ送信のためのリソースを確保する（Ｓ６２）。次に、ＭＢＭＳ制御部６２は、制御信号処理部６２に対し、ｎｏｔｉｆｉｃａｔｉｏｎと呼ばれる制御信号を作成するように指示する。ｎｏｔｉｆｉｃａｔｉｏｎは、ｎｏｔｉｆｉｃａｔｉｏｎに対応するＭＢＭＳサービスのデータをＵＥ８が受信するために必要な情報を含む。このとき、ＭＢＭＳ制御部６２は、ｎｏｔｉｆｉｃａｔｉｏｎに更新タイミング情報を含めるように指示する（Ｓ６３）。更新タイミング情報については後述する。信号処理部６２は、作成されたｎｏｔｉｆｉｃａｔｉｏｎの送信を開始する（Ｓ６４）。そして、ｎｏｔｉｆｉｃａｔｉｏｎの送信が開始された後、データ処理部６３は、ＭＢＭＳサービスのデータの送信を開始する（Ｓ６５）。ｎｏｔｉｆｉｃａｔｉｏｎとＭＢＭＳサービスのデータの送信は、セッションと呼ばれる所定の時間の間継続して行われても良い。
【００２５】
図４は、更新タイミング情報の具体例を示す表である。更新タイミング情報は、例えばメッセージタイプ（Message Type），ＭＢＭＳサービスＩＤ（MBMS Service ID），及び
タイミング情報（Updated Data Transfer Timing Information Elements）を含む。メッ
セージタイプは、このメッセージが更新タイミング情報を示すメッセージであることを示す値を持つ。ＭＢＭＳサービスＩＤは、以下に示すタイミング情報が、いずれのＭＢＭＳサービスについてのタイミング情報であるかを示す。タイミング情報は、ＭＢＭＳサービスＩＤによって示されるＭＢＭＳサービスが次に更新されて送信されるタイミングを示す値を持つ。この値の具体的な例として、ＤＲＸサイクル間隔，時間間隔，又は時刻などがある。
【００２６】
ＤＲＸサイクル間隔とは、ＵＥ８がＭＢＭＳサービスのデータの受信を行うサイクル間
隔を示す。ＤＲＸサイクルの値は、ＭＢＭＳサービス毎に定められても良いし、ＵＥ８毎に定められても良い。従って、例えばこの値が３と設定された場合、ＵＥ８は以下のように動作する。まず、ＵＥ８は、この更新タイミング情報を含むｎｏｔｉｆｉｃａｔｉｏｎに対応するＭＢＭＳサービスのデータを受信する。そして、この更新タイミング情報を含むｎｏｔｉｆｉｃａｔｉｏｎを受信した時から、通常行うべきｎｏｔｉｆｉｃａｔｉｏｎの受信を３回休止し、４回目のＤＲＸサイクルのタイミングで次のｎｏｔｉｆｉｃａｔｉｏｎの受信を行う。時間間隔が設定された場合は、ＵＥ８は、ＤＲＸサイクル間隔が時間間隔に置き換えられるのみで、基本的には上記と同様の動作をする。また、時刻が設定された場合は、ＵＥ８は、この更新タイミング情報を含むｎｏｔｉｆｉｃａｔｉｏｎに対応するＭＢＭＳサービスのデータを受信した後、設定された時刻に次のｎｏｔｉｆｉｃａｔｉｏｎの受信を行う。
【００２７】
基地局７は、ＲＮＣ６から受け取るｎｏｔｉｆｉｃａｔｉｏｎやＭＢＭＳサービスのデータ等をＵＥ８に対して無線送信する。
【００２８】
ＵＥ８は、携帯電話機や、無線通信機能を有するＰＤＡ（Personal Digital Assistant）などを用いて構成される。ＵＥ８は、ｎｏｔｉｆｉｃａｔｉｏｎを受信すると、このｎｏｔｉｆｉｃａｔｉｏｎに対応するＭＢＭＳサービスのデータを受信する。そして、ＵＥ８のユーザはＵＥ８を介してＭＢＭＳサービスを受けることが可能となる。図５は、ＵＥ８の機能ブロック例を示す図である。ＵＥ８は、アンテナ８１，信号処理部８２，ＭＢＭＳ制御部８３，及びＭＢＭＳ受信タイミング制御部８４を含む。
【００２９】
アンテナ８１は、従来のアンテナ装置を用いて構成される。信号処理部８２は、アンテナ８１を介して受信されたデータのうち、ｎｏｔｉｆｉｃａｔｉｏｎに含まれる更新タイミング情報を抽出してＭＢＭＳ受信タイミング制御部８４に渡す。また信号制御処理部８２は、この他のデータについては、ＭＢＭＳ制御部８３に渡す。ＭＢＭＳ制御部８３は、ＭＢＭＳ受信タイミング制御部８４から受信指示を受けた場合にのみ、ｎｏｔｉｆｉｃａｔｉｏｎの受信を行う。そして、ＭＢＭＳ制御部８３は、受信されたｎｏｔｉｆｉｃａｔｉｏｎに従ってＭＢＭＳサービスのデータの受信を行う。ＭＢＭＳ受信タイミング制御部８４は、受信された更新タイミング情報を記憶する。そして、この更新タイミング情報に従って、次に受信すべきｎｏｔｉｆｉｃａｔｉｏｎのタイミングを判断し、受信指示をＭＢＭＳ制御部８３に渡す。なお、ＭＢＭＳ受信タイミング制御部８４は、ｎｏｔｉｆｉｃａｔｉｏｎを受信すべきタイミングになるまで、受信処理を停止するようにＭＢＭＳ制御部８３に指示しても良い。
【００３０】
図６は、ＵＥ８の動作例を示すフローチャートである。次に、図６を用いてＵＥ８の処理例について説明する。まず、信号制御処理部８２は、アンテナ８１を介して受信されたｎｏｔｉｆｉｃａｔｉｏｎから、更新タイミング情報を抽出する（Ｓ８１）。このとき、ＭＢＭＳ受信タイミング制御部８４は、最初のｎｏｔｉｆｉｃａｔｉｏｎは無条件で受信するようにＭＢＭＳ制御部８３に指示しても良い。また、ＭＢＭＳ受信タイミング制御部８４は、更新タイミング情報が一つも自身に記憶されていないことを条件として、ｎｏｔｉｆｉｃａｔｉｏｎを受信することをＭＢＭＳ制御部８３に指示しても良い。また、ＭＢＭＳ受信タイミング制御部８４は、次回のｎｏｔｉｆｉｃａｔｉｏｎの受信タイミングが判断されていないことを条件として、ｎｏｔｉｆｉｃａｔｉｏｎを受信することをＭＢＭＳ制御部８３に指示しても良い。信号制御処理部８２は、抽出された更新タイミング情報をＭＢＭＳ受信タイミング制御部８４に渡す。
【００３１】
ＭＢＭＳ受信タイミング制御部８４は、更新タイミング情報を元に、次にｎｏｔｉｆｉｃａｔｉｏｎを受信すべきタイミング、即ち次にＭＢＭＳサービスの更新されたデータが次に送信されるタイミングを判断する（Ｓ８２）。例えば、ＭＢＭＳ受信タイミング制御
部８４は、更新タイミング情報に含まれるUpdate Data Transfer Timing Information Elementsの値を元に判断を行う。そして、ＭＢＭＳ受信タイミング制御部８４は、判断結果としてのタイミングにあわせて、受信指示をＭＢＭＳ制御部８３に発行する（Ｓ８３）。
【００３２】
ＭＢＭＳ制御部８３は、ＭＢＭＳ受信タイミング制御部８４から受信指示を受けると、ｎｏｔｉｆｉｃａｔｉｏｎを受信する（Ｓ８４）。そして、ＭＢＭＳ制御部８３は、受信されたｎｏｔｉｆｉｃａｔｉｏｎに対応するＭＢＭＳサービスのデータを受信する（Ｓ８５）。
【００３３】
図７は、ネットワークシステム１における処理の流れの例を示す図である。次に、図７を用いて、ネットワークシステム１における処理の流れについて説明する。ネットワークシステム１では、各Ｓｅｓｓｉｏｎ（セッション：図７ではＳｅｓｓｉｏｎ１〜３）において、一対のｎｏｔｉｆｉｃａｔｉｏｎとｄａｔａ（ＭＢＭＳサービスのデータ）とがＵＥ８に対して送出される。具体的には、ＢＭ−ＳＣ３がセッションの開始を示す制御信号（送信開始指示）を送出することにより各Ｓｅｓｓｉｏｎが開始される。ＲＮＣ６は、この送信開始指示を受信すると、この制御信号に対応するｎｏｔｉｆｉｃａｔｉｏｎを、ＭＢＭＳ制御用チャネルを用いて送出する。また、ＲＮＣ６は、ｎｏｔｉｆｉｃａｔｉｏｎの送出の後、このｎｏｔｉｆｉｃａｔｉｏｎに対応するｄａｔａを、ＭＢＭＳデータ用チャネルを用いて送出する。そして、ＢＭ−ＳＣ３がセッションの終了を示す制御信号を送出し、この制御信号を受信したＲＮＣ６がｎｏｔｉｆｉｃａｔｉｏｎ及びｄａｔａの送出を停止することにより各セッションは終了する。各セッションにおいて、ｎｏｔｉｆｉｃａｔｉｏｎやｄａｔａは、継続的又は断続的に複数回送出が実施されても良い。また、異なるセッションにおいて、同一のｎｏｔｉｆｉｃａｔｉｏｎやｄａｔａが送出されても良い。
【００３４】
ＵＥ８は、あるセッション（例えばＳｅｓｓｉｏｎ１）において送出されたｎｏｔｉｆｉｃａｔｉｏｎを受信すると、このセッション内に、このｎｏｔｉｆｉｃａｔｉｏｎに対応するｄａｔａを受信する。ＵＥ８は、このｎｏｔｉｆｉｃａｔｉｏｎから更新タイミング情報を取り出し、次に受信を行うべきｎｏｔｉｆｉｃａｔｉｏｎを判断する。次に受信を行うべきｎｏｔｉｆｉｃａｔｉｏｎがＳｅｓｓｉｏｎ３におけるｎｏｔｉｆｉｃａｔｉｏｎである場合、ＵＥ８は、Ｓｅｓｓｉｏｎ２においてはｎｏｔｉｆｉｃａｔｉｏｎの受信を行わない。このため、ＵＥ８は、Ｓｅｓｓｉｏｎ２においてはｄａｔａの受信も行わない。ＵＥ８は、所定のタイミングで、Ｓｅｓｓｉｏｎ３におけるｎｏｔｉｆｉｃａｔｉｏｎの受信を行う。そして、ＵＥ８は、このｎｏｔｉｆｉｃａｔｉｏｎに対応するｄａｔａをＳｅｓｓｉｏｎ３において受信する。
【００３５】
また、必要に応じてＵＥ８は、特定のＭＢＭＳサービスを受けるためにジョイン（Ｊｏｉｎ）処理を行うように構成されても良い。ジョイン処理では、ＵＥ８は、加入を希望するＭＢＭＳサービスのＩＤや自装置の識別子などを送出する。ネットワークシステム１内の装置（例えばＢＭ−ＳＣ３）は、これらの情報を受信すると、ＵＥ８について認証を行う。ＵＥ８が容認されると、ＢＭ−ＳＣ３は、ＵＥ８が加入を希望しているＭＢＭＳサービスのグループ識別子（ＴＭＧＩ：Temporary Mobile Group Identity）をＵＥ８に対し
て通知する。そして、ＵＥ８は、このジョイン処理において受け取ったＴＭＧＩを用いて、該当するＭＢＭＳサービスのデータの受信を行う。
【００３６】
このように構成されたネットワークシステム１では、ＵＥ８は、ｎｏｔｉｆｉｃａｔｉｏｎに含まれる更新タイミング情報を用いることにより、次に受信を行うべきタイミングを判断することが可能となる。即ち、ＵＥ８は、更新タイミング情報を用いることにより、ＭＢＭＳサービスの同一のデータを重複して受信することを防止することが可能となる。このため、受信処理に要するリソースを節約することが可能となる。また、その結果と
して、ＵＥ８における消費電力の低減を図ることができる。
【００３７】
〔変形例〕
ＲＮＣ６は、ｎｏｔｉｆｉｃａｔｉｏｎではなく、ＭＢＭＳサービスのデータに更新タイミング情報を含むように構成されても良い。この場合、ＭＢＭＳ制御部６１は、制御信号処理部６２ではなく、データ処理部６３に更新タイミング情報を渡す。そして、ＭＢＭＳ制御部６１は、データ処理部６３に対し、更新タイミング情報をＭＢＭＳサービスのデータに含めるように指示する。データ処理部６３は、この更新タイミング情報を、ＭＢＭＳサービスのデータに含める。例えば、データ処理部６３は、ＭＢＭＳサービスのデータのｉｎｂａｎｄ情報に更新タイミング情報を含めても良い。
【００３８】
ＲＮＣ６が上記のように構成された場合、ＵＥ８は、ｎｏｔｉｆｉｃａｔｉｏｎではなくＭＢＭＳサービスのデータから更新タイミング情報を抽出するように構成される。この場合、信号処理部８２は、ＭＢＭＳサービスのデータから更新タイミング情報を抽出し、この更新タイミング情報をＭＢＭＳ受信タイミング制御部８４に渡す。例えば、信号処理部８２は、ＭＢＭＳサービスのデータのｉｎｂａｎｄ情報から更新タイミング情報を抽出する。
【００３９】
このように変形して構成されたネットワークシステム１によっても、上述したネットワークシステム１と同様の作用・効果を得ることができる。
【００４０】
また、ネットワークシステム１は、ＭＢＭＳサービス以外の仕様に基づいてデータがＵＥ８に提供されるように構成されても良い。例えば、ＲＮＣ６はｎｏｔｉｆｉｃａｔｉｏｎ又はこれに準じる制御信号を送出することなくデータのみを送出するように構成されても良い。この場合、上記変形例に示されるように、データに更新タイミング情報が含まれる。また、この場合、ＵＥ８は、更新タイミング情報に基づいて得られたタイミングでデータを受信するように構成される。
【図面の簡単な説明】
【００４１】
【図１】ネットワークシステムの構成例を示す図である。
【図２】ＲＮＣの機能ブロックの例を示す図である。
【図３】ＲＮＣの動作フローの例を示すフローチャートである。
【図４】更新タイミング情報の具体例を示す表である。
【図５】ＵＥの機能ブロックの例を示す図である。
【図６】ＵＥの動作フローの例を示すフローチャートである。
【図７】ネットワークシステムの処理の流れを示す図である。
【符号の説明】
【００４２】
１                ネットワークシステム
２                コンテンツプロバイダサーバ
３                ＢＭ−ＳＣ
４                ＧＧＳＮ
５                ＳＧＳＮ
６                ＲＮＣ
７                基地局
８                ＵＥ
６１              制御信号処理部
６２              ＭＢＭＳ制御部
６３              データ処理部
８１              アンテナ
８２              信号処理部
８３              ＭＢＭＳ制御部
８４              ＭＢＭＳ受信タイミング制御部
【図１】
2006086890.tif 000003
【図２】
2006086890.tif 000004
【図３】
2006086890.tif 000005
【図４】
2006086890.tif 000006
【図５】
2006086890.tif 000007
【図６】
2006086890.tif 000008
【図７】
2006086890.tif 000009